(57)【要約】【課題】充電式バッテリを電源とする切断工具において、高価な高出力バッテリを用いるのではなく現在より広く普及している低出力バッテリを電源としてもちいることにより高出力な切断工具を安価に利用できるようにする。【解決手段】広く普及している１８Ｖバッテリ３４Ａ、３４Ｂを２つ直列に取り付けて、その合計電圧を定格電圧とする電動モータを駆動させるジグソー（往復動切断電動工具）１０とする。【選択図】図３
2014148025.tif 000002
【特許請求の範囲】
【請求項１】
切断材に当接させるベースと、該ベースに対して前記切断材の位置とは反対側の上面側に配設される工具本体部を備え、該工具本体部は駆動源としての電動モータを内包する駆動部と、該駆動部の電動モータの回転出力をブレードに往復動作に転換して伝達する往復動変換機構部と、使用者が把持するハンドル部とを備え、前記ブレードを往復動させて切断加工を行なう往復動切断電動工具であって、
前記工具本体部に、電源としての充電式のバッテリを着脱可能かつ外部から目視可能な露出状態で取り付けるためのバッテリ取り付け部を２箇所備えたことを特徴とする往復動切断電動工具。
【請求項２】
請求項１記載の往復動切断電動工具であって、
前記２箇所のバッテリ取り付け部は、バッテリ装着状態での当該工具を上面側から見た場合における重心位置を通る当該工具の前後方向又は左右方向の軸線に対して対称方向位置に１個ずつ設けられていることを特徴とする往復動切断電動工具。
【請求項３】
請求項１又は２記載の往復動切断電動工具であって、
前記２つのバッテリ自体の重心位置が、当該工具を左右方向の断面で見た場合における左右方向と上下方向の最大外形幅で囲われる領域を前後方向に延長させた領域内にあるように２つのバッテリの取り付け部が配置構成されていることを特徴とする往復動切断電動工具。
【請求項４】
請求項２又は請求項３に記載した往復動切断電動工具であって、
前記２つのバッテリ自体の重心位置が、バッテリ装着状態での当該工具の重心位置を通る当該工具の前後方向の軸線上に位置するように２つのバッテリの取り付け部が配置構成されていることを特徴とする往復動切断電動工具。
【請求項５】
請求項２又は請求項４に記載した往復動切断電動工具であって、
前記２箇所のバッテリ取り付け部の配設位置は、前記工具本体部における後方位置で向かい合わせに配設されており、該バッテリ取り付け部にバッテリは上方から挿入して取付けられる構成であることをことを特徴とする往復動切断電動工具。
【発明の詳細な説明】
【技術分野】
【０００１】
本発明は、往復動切断電動工具に関する。詳しくは、着脱可能な複数個の充電式バッテリを備えたジグソーと称される手持ち式の往復動切断電動工具に関する。
【背景技術】
【０００２】
充電式のバッテリを電源として用いる電動工具に関する技術が下記の特許文献１に開示されている。この種の電動工具のバッテリには、出力電圧が例えば１８Ｖや３６Ｖのものが提供されている。主として手持ち工具で比較的小型で少出力の機種であれば１８Ｖ出力のバッテリ（１８Ｖバッテリ）が用いられ、より高出力を要する比較的大型の切断工具等の場合にはより大型の３６Ｖ出力のバッテリ（３６Ｖバッテリ）が用いられる。
近年、園芸工具等の大型の電動工具についてもコードレス化が図られ、これに伴って大型の３６Ｖバッテリが普及してきているが、依然としてより小型の１４．４Ｖバッテリや１８Ｖバッテリが主流であり普及している。また、通常電動工具の使用者は予備バッテリを複数個用意して、これを作業と並行して充電していくことにより、バッテリを取り替えながら一台の電動工具で長時間連続して作業できるようにしている。この点でも、大型の３６Ｖバッテリよりも小型の１８Ｖバッテリの方が広く普及している。
さらに、電動工具用のバッテリは同一電源仕様の別の電動工具間で使い回しができるようになっている。１８Ｖ仕様の電動工具の機種が豊富で広く普及していることもあって、１８Ｖバッテリの普及度は３６Ｖバッテリよりも大幅に高い。
【先行技術文献】
【特許文献】
【０００３】
【特許文献１】特開２０１０−２０１５９８号公報
【特許文献２】特開２０１１−２１８５０１号公報
【発明の概要】
【発明が解決しようとする課題】
【０００４】
しかしながら、従来３６Ｖバッテリを専用電源とする高出力の切断工具について、より広く普及している小型の１８Ｖバッテリを流用することができないため、使用者は高出力の切断工具専用の３６Ｖバッテリを用意せざるを得ず、この点でコスト高になる問題があり、また高出力の切断工具の取り扱い性をより高める余地があった。
【０００５】
而して、本発明は上述した点に鑑みて創案されたものであって、本発明が解決しようとする課題は、比較的高出力の切断工具の電源として低出力用のバッテリを利用できるようにすることで、当該切断工具の利便性及び取り扱い性を一層高めることにある。
【課題を解決するための手段】
【０００６】
本発明に係る往復動切断電動工具は、上述した課題を解決するため、次の手段をとる。
先ず、本発明に係る往復動切断電動工具は、基本構成の前提構成として、切断材に当接させるベースと、該ベースに対して前記切断材の位置とは反対側の上面側に配設される工具本体部を備え、該工具本体部は駆動源としての電動モータを内包する駆動部と、該駆動部の電動モータの回転出力をブレードに往復動作に転換して伝達する往復動変換機構部と、使用者が把持するハンドル部とを備え、前記ブレードを往復動させて切断加工を行なう構成のものである。そして、かかる基本構成における特徴構成として、前記工具本体部に、電源としての充電式のバッテリを着脱可能かつ外部から目視可能な露出状態で取り付けるためのバッテリ取り付け部を２箇所備えた構成とするものである。
【０００７】
上述した本発明の基本構成によれば、低出力用のバッテリを２個取り付けて高出力の切断工具を利用することができ、これにより低出力用のバッテリを有効利用できるとともに、高出力の切断工具の利便性及び取り扱い性を一層高めることができる。
【０００８】
なお、上述した本発明の基本構成は、次のような手段態様を取るのが好ましい。
先ず、本発明における前記２箇所のバッテリ取り付け部は、バッテリ装着状態での当該工具を上面側から見た場合における重心位置を通る当該工具の前後方向又は左右方向の軸線に対して対称方向位置に１個ずつ設けられている構成とするのが好ましい。
かかる構成とすることにより、２個のバッテリの配設位置が当該工具の重心を通る軸線に対して対称方向位置となるため、バランスが良い。
【０００９】
また、本発明における前記２つのバッテリ自体の重心位置が、当該工具を左右方向の断面で見た場合における左右方向と上下方向の最大外形幅で囲われる領域を前後方向に延長させた領域内にあるように２つのバッテリの取り付け部が配置構成されている構成とするのが好ましい。
かかる構成とすることにより、２つのバッテリ自体の重心位置が当該工具の最大外形幅の領域内にあるため、この場合もやはりバランスが良い。
【００１０】
また、本発明における前記２つのバッテリ自体の重心位置が、バッテリ装着状態での当該工具の重心位置を通る当該工具の前後方向の軸線上に位置するように２つのバッテリの取り付け部が配置構成されている構成とするのが好ましい。
かかる構成とすることにより、２つのバッテリ自体の重心位置が、当該工具の重心位置を通る軸線上にあるため、バランスが最も良くなり、当該工具の利便性及び取り扱い性が向上する。
【００１１】
また、本発明における前記２箇所のバッテリ取り付け部の配設位置は、前記工具本体部における後方位置で向かい合わせに配設されており、該バッテリ取り付け部にバッテリは上方から挿入して取付けられる構成であるのが好ましい。
かかる構成とすることにより、バッテリ取り付け部へのバッテリの着脱は容易となり、また、工具全体をコンパクトなものとすることが可能となる。
【発明の効果】
【００１２】
本発明によれば、比較的高出力の切断工具の電源として低出力用のバッテリを利用できるようにすることで、当該切断工具の利便性及び取り扱い性を一層高めることができる。
【図面の簡単な説明】
【００１３】
【図１】第１の実施形態に係るジグソーの外観全体を示す側面図である。
【図２】同実施形態に係るジグソーの外観を破断して内部構造を示す側面図である。
【図３】同実施形態に係るジグソーの外観全体を示す上面図である。
【図４】同実施形態に係るジグソーの外観全体を示す背面図である。
【図５】第２の実施形態に係るジグソーの外観全体を示す側面図である。
【図６】同実施形態に係るジグソーの外観全体を示す上面図である。
【図７】同実施形態に係るジグソーの外観全体を示す背面図である。
【図８】第３の実施形態に係るジグソーの外観全体を示す側面図である。
【図９】同実施形態に係るジグソーの外観全体を示す上面図である。
【図１０】同実施形態に係るジグソーの外観全体を示す背面図である。
【図１１】第４の実施形態に係るジグソーの外観全体を示す側面図である。
【図１２】同実施形態に係るジグソーの外観全体を示す上面図である。
【図１３】同実施形態に係るジグソーの外観全体を示す背面図である。
【図１４】第５の実施形態に係るジグソーの外観全体を示す側面図である。
【図１５】同実施形態に係るジグソーの外観全体を示す上面図である。
【図１６】同実施形態に係るジグソーの外観全体を示す背面図である。
【図１７】バッテリを示す斜視図である。
【図１８】バッテリ取付け部を示す平面図である。
【発明を実施するための形態】
【００１４】
以下に、本発明に係る往復動切断電動工具の各実施形態を図面に基づいて説明する。実施形態としては、往復動切断電動工具の一例としてジグソー１０を例示する。
【００１５】
〔第１の実施形態〕
図１乃至図４は第１の実施形態を示す。図１はジグソー１０の外観全体を示す側面図であり、図２は外観のハウジングを破断して内部構造を示す側面図である。図３は上面図、図４は背面図である。
図１に示すように、ジグソー１０は、大別して下面が切断材Ｗに当接されるベース１２と、該ベース１２に対して前記切断材Ｗの位置とは反対側の位置となる上面側で前記ベース１２を支持する工具本体部１４とから成っている。工具本体部１４の外観は概して樹脂製のハウジングで覆われて形成されている。そして、図２に示すように、工具本体部１４は、駆動源としての電動モータ１６を内包する駆動部１８と、該駆動部１８の電動モータ１６の回転出力をブレード２０に往復動作に転換して伝達する往復動変換機構部２２と、使用者が把持するハンドル部２４とを備えて構成される。駆動部１８と往復動変換機構部２２とハンドル部２４の配置関係は、駆動部１８が下部位置に配置されており、この駆動部１８の上部位置にハンドル部２４がループ形状で配置されており、往復動変換機構部２２がこれらの前部位置に配置されている。
図１及び図２において、このジグゾー１０の後方側に使用者が位置する。使用者は、ハンドル部２４を把持して切断材Ｗの上面にベース１２を乗せ掛けた状態で、当該ジグソー１０を前側（図１において白抜き矢印で示す前方）へ移動させることによりブレード２０を切断材Ｗに切り込ませて切断加工を行うことができる。本第１の実施形態を含め、以下に説明する各実施形態の説明において、部材及び構成の前後方向については切断が進行する方向を前側とし、使用者側を後側とする。また、左右方向及び上下方向については使用者の位置を基準として見た方向である。
ハンドル部２４の下面側にはスイッチレバー２６が設けられている。使用者がハンドル部２４を把持した手の指先でこのスイッチレバー２６を上側へ引き操作すると電動モータ１６が起動する。電動モータ１６が起動すると、その回転出力が往復動変換機構部２２を経てロッド２８の上下方向の往復動に変換され、これによりブレード２０が上下に往復動する。
【００１６】
第１の実施形態おける２箇所のバッテリ取り付け部３０Ａ，３０Ｂは工具本体部１４の後部位置とされている。バッテリ取り付け部３０Ａ，３０Ｂは、上方位置に配置されたハンドル部２４と下方位置に配置された駆動部１８と連結された状態として形成された取付部位３２の両面に向い合わせられた配置状態として形成されている。図１乃至図４は２個のバッテリ３４Ａ，３４Ｂがバッテリ取り付け部３０Ａ，３０Ｂに装着された状態として図示されている。これらの図から良く分るように、バッテリ取り付け部３０Ａ，３０Ｂは、バッテリ３４Ａ，３４Ｂを着脱可能で外部から目視可能な露出した状態として取付けられる構成として配置されている。なお、本説明において２個のバッテリ３４Ａ，３４Ｂをまとめて指称する場合には符号を単に３４とすることがある。
使用されるバッテリ３４の一例が図１７に示されている。バッテリ３４は前述のバッテリ取り付け部３０Ａ，３０Ｂに本実施形態では上方から下方に向けてスライド移動させて差し込み方式により装着される構成となっている。
【００１７】
図１７によりバッテリ３４を説明する。バッテリ３４は、それぞれバッテリケース内に複数本のバッテリセルを収容した１８Ｖ出力のリチウムイオンバッテリで、当該ジグソー１０から取り外して、別途用意した充電器により充電することにより繰り返し電源として使用することができる。両バッテリ３４は、その上面に左右一対のレール部３４ｂ，３４ｃを備えている。左右のレール部３４ｂ，３４ｃ間には、それぞれ正負の接続端子３４ｄ，３４ｅを備えている。正負の接続端子３４ｄ，３４ｅ間には、制御信号送受信用のコネクタ３４ｆを備えている。
【００１８】
前述したバッテリ取り付け部３０Ａ，３０Ｂの構成は、上記したバッテリ３４がスライド移動により取り付け可能な構成となっている。その構成を図１８に示す。バッテリ取り付け部３０Ａ，３０Ｂには、それぞれ前後方向に一対のレール部３０ａと、正負の接続端子３０ｂ，３０ｃが設けられている。正負の接続端子３０ｂ，３０ｃ間には、それぞれバッテリ３４との間で制御信号を送受信するためのコネクタ受け部が設けられている。前後一対のレール部３０ａに、バッテリ３４のレール部３４ｂ，３４ｃをそれぞれ係合させて、当該バッテリ３４をスライドさせて機械的に取り付け可能、逆に取り外し可能となっている。また、正負の接続端子３０ｂ，３０ｃに、バッテリ３４の正負の接続端子３４ｄ，３４ｅがそれぞれ接続されることにより当該バッテリ３４が電気的に接続され、コネクタ受け部にバッテリ３４のコネクタ３４ｆが接続されることにより、当該バッテリ３４とコントローラ（不図示）との間で各種信号の送受信がなされる。
また、両バッテリ取り付け部３０Ａ，３０Ｂの左側部には、バッテリ３４に設けたロック爪３４ｇを係合させてその取り付け状態をロックするための爪係合部３０ｄが設けられている。
図１７及び図１８において白抜きの矢印で示すように、両バッテリ取り付け部３０Ａ，３０Ｂに対してバッテリ３４を図１８において下向き（取り付け方向）に移動させることにより、当該両バッテリ３４をそれぞれバッテリ取り付け部３０Ａ，３０Ｂに取り付けることができる。逆に、バッテリ取り付け部３０Ａ，３０Ｂに対してバッテリ３４を図１８において上向き（取り外し方向）に移動させることにより、当該バッテリ３４をバッテリ取り付け部３０Ａ，３０Ｂから取り外すことができる。
図３及び図４に示すように、バッテリ３４Ａ，３４Ｂの取り外し方向前面には、バッテリ取り付け部３０Ａ，３０Ｂの爪係合部３０ｄに対するロック爪３４ｇの係合状態を解除するためのロック解除ボタン３４ａが設けられている。
【００１９】
図１７に示すようにバッテリ３４の外形寸法について、長手方向の長さＬ、幅Ｄ、高さＨとすると、当該バッテリ３４は長さＬ＞幅Ｄ＞高さＨの大小関係にある概ね直方体形状を有している。図１に示すように、本実施形態では当該バッテリ３４は、前述もしたように長手方向が上下方向となるように配置されており、下方向向きにスライド移動させることにより装着され、上方向向きにスライド移動させることにより取り外し可能となっている。なお、より詳しくは、バッテリ３４のバッテリ取り付け部３０Ａ，３０Ｂへの装着状態は、上方側が下方側より僅かに後方へ傾斜した状態として装着されており、その取付け取外しが行い易いようにされている。また、バッテリ３４Ａ，３４Ｂは向かい合わせに配置されているので、右手親指を右側配置のバッテリ３４Ａのロック解除ボタン３４ａ，左手親指を左側配置のバッテリ３４Ｂのロック解除ボタン３４ａに引っかけやすく、取り外し作業がし易い。
【００２０】
第１の実施形態のジグソー１０において、バッテリ３４を装着した状態における重心位置は、符号Ｇで各図に示されている。図３に示すように、バッテリ取り付け部３０Ａ，３０Ｂの位置は、上面側から見た場合における当該重心位置Ｇを通る前後方向の軸線ＣＬ１に対して対称方向位置となっている。このためバッテリ取り付け部３０Ａ，３０Ｂに取り付けられるバッテリ３４Ａ，３４Ｂも軸線ＣＬ１に対して対称位置に配置されることになり、ジグソー１０の工具本体部１４への取付け状態がバランス良くなっている。特に、本実施形態では、図１に示すように、２つのバッテリ３４Ａ，３４Ｂ自体のトータルの重心位置Ｇｂが、軸線ＣＬ１上に位置する配置構成とされているため、バランスが非常によくなっている。なお、軸線ＣＬ１は、図１に示すように、重心Ｇを通ってベース１２の下面に対して平行に引かれる前後方向の中心線である。
【００２１】
また、図１に示すように、工具本体部１４の左右方向断面で見た場合における上下方向の最大幅箇所寸法がＸで示され、その上端部線がＸ１，下端部線がＸ２で示されている。上端部線Ｘ１及び下端部線Ｘ２は図３に示す軸線ＣＬ１に対して平行に引かれる線である。また、図３に示すように左右方向の最大幅箇所寸法がＹで示され、その左端部線がＹ１，右端部線がＹ２で示されている。左端部線Ｙ１及び右端部線Ｙ２は図３に示す軸線ＣＬ１に対して平行に引かれる線である。
そして、この上端部線Ｘ１と下端部線Ｘ２で囲われる範囲領域Ｘと、左端部線Ｙ１と右端部線Ｙ２で囲われる範囲領域Ｙの両方の領域内に、２個のバッテリ３４Ａ，３４Ｂ自体のトータルの重心位置が入っているとジグソー１０全体のバランスが良い。本実施形態における２個のバッテリ３４Ａ，３４Ｂ自体のトータルの重心位置は符号Ｇｂで示されており、この重心位置Ｇｂが、図１に示すＸの範囲領域内にあると共に、図３に示すＹの範囲領域内にあるように、バッテリ取り付け部３０Ａ，３０Ｂの位置が配置構成されている。このＸで示される領域範囲とＹで示される領域範囲の重なった領域範囲が本発明の「工具を左右方向の断面で見た場合における左右方向と上下方向の最大外形幅で囲われる領域」である。
好ましくは、この２個のバッテリ３４Ａ，３４Ｂ自体のトータルの重心位置Ｇｂは、ジグソー１０の工具本体部１４を左右方向の断面で見た場合における最大外形の範囲領域内にあるのが良い。
【００２２】
以上のように構成した上記第１の実施形態のジグソーによれば、低出力用の１８Ｖバッテリ３４を２個取り付けて、これを直列の電気接続として、定格電圧３６Ｖの電動モータ１１を駆動源とする高出力のジグソー１０とすることができる。これにより低出力用の１８Ｖバッテリ３４を有効利用できるとともに、高出力のジグソー１０の利便性及び取り扱い性を一層高めることができる。特に、予備バッテリ等を含めて現在広く普及している１８Ｖバッテリを流用することができ、これにより高価な３６Ｖバッテリを別途購入することなく３６Ｖ仕様で高出力の切断工具１を利用でき、これにより切断作業の低コスト化及び作業性の向上を図ることができる点で顕著な作用効果を得ることができる。
また、第１の実施形態のバッテリ３４の配置構成によれば、既存のジグソーと比較して、全長（前後方向の長さ）と、幅（左右方向の長さ）に影響が少なく、ジグソー１０全体のコンパクト性を維持することができるため、取り回し性が良い。また、着脱性が良い。
【００２３】
〔第２の実施形態〕
第２の実施形態は、図５乃至図７に示されている。なお、以下に示す各実施形態においては、上述した第１の実施形態と同じ構成内容箇所には同じ符号を付すことにより、その詳細説明を省略することがある。上述した第１の実施形態で説明した図１７に示すバッテリ３４及び図１８に示すバッテリ取り付け部３０Ａ，３０Ｂの構成も、実質的に以下の各実施形態の場合も同じであり、その詳細説明は省略する。
第２の実施形態を示す図５はジグソー１０の外観全体を示す側面図であり、図６は上面図、図７は背面図である。
これら各図に示されるように、第２の実施形態のジグソー１０のバッテリ取り付け部３０２Ａ，３０２Ｂは駆動部１８の左右方向の側部に設けられている。図６及び図７に良く示されるように、右側のバッテリ取り付け部３０２Ａにはバッテリ３４２Ａが装着され、左側のバッテリ取り付け部３０２Ｂにはバッテリ３４２Ｂが装着されている。右側のバッテリ取り付け部３０２Ａは駆動部１８の右側のハウジングと一体に形成された取付部位３２２Ａの側面に形成されており、左側のバッテリ取り付け部３０２Ｂは駆動部１８の左側のハウジングと一体に形成された取付部位３２２Ｂの側面に形成されている。かかるバッテリ３４２Ａ、３４２Ｂの配置構成によれば、重心位置Ｇｂがハンドル部２４の中心とすることができ、切断開始時に空中で安定して保持することができる。また、本実施形態の場合も、図６に示されるように、２つのバッテリ３４２Ａ，３４２Ｂ自体のトータルの重心位置Ｇｂは、軸線ＣＬ１上に位置する配置構成とされているため、バランスが非常によくなっている。
バッテリ３４２Ａ，３４２Ｂのバッテリ取付け部３０２Ａ，３０２Ｂへの装着のための取り付け方向は、前方から後方へスライド移動させることにより行われ、取り外しは逆に後方から前方へスライド移動させることにより行われる。なお、取り外しの場合にはロック解除ボタン３４ａを押して、バッテリ３４２のロックを解除することにより行なわれる。そして、本実施形態の場合も、図から良く分るように、バッテリ取り付け部３０２Ａ，３０２Ｂは、バッテリ３４２Ａ，３４２Ｂを着脱可能で外部から目視可能な露出した状態として配置されている。
【００２４】
上記第２の実施形態の場合も、第１の実施形態の場合と同様に、図５において、工具本体部１４の左右方向断面で見た場合における上下方向の最大幅箇所寸法がＸで示され、その上端部線がＸ１，下端部線がＸ２で示されている。また、図６に示すように左右方向の最大幅箇所寸法がＹで示され、その左端部線がＹ１，右端部線がＹ２で示されている。
そして、本実施形態においても２個のバッテリ３４２Ａ，３４２Ｂ自体のトータルの重心位置Ｇｂは図５に示すＸの範囲領域内にあると共に、図６に示すＹの範囲領域内にあるように、バッテリ取り付け部３０２Ａ，３０２Ｂの位置が配置構成されている。これにより第２の実施形態においても２個のバッテリ３４２Ａ，３４２Ｂはジグソー１０全体の配置構成としてバランスよく配置されている。また、本実施形態の場合も、図５及び図６に示すように、２つのバッテリ３４２Ａ、３４２Ｂのトータルの重心位置Ｇｂが、軸線ＣＬ１上に位置する配置構成とされているため、バランスが非常によくなっている。
【００２５】
上記第２の実施形態においても、前述した第１の実施形態と同様の作用効果を得ることができるものである。
【００２６】
〔第３の実施形態〕
第３の実施形態は、図８乃至図１０に示されている。図８はジグソー１０の外観全体を示す側面図であり、図９は上面図、図１０は背面図である。
これら各図に示されるように、第３の実施形態のジグソー１０のバッテリ取り付け部３０３Ａ，３０３Ｂは、工具本体部１４の前端位置と後端位置に設けられている。図８及び図９に良く示されるように、前方側のバッテリ取り付け部３０３Ａにはバッテリ３４３Ａが装着され、後方側のバッテリ取り付け部３０３Ｂにはバッテリ３４３Ｂが装着されている。前方側のバッテリ取り付け部３０３Ａは往復動変換機構部２２を覆うハウジングと一体に形成された取付部位３２３Ａの前面に形成されている。後方側のバッテリ取り付け部３０３Ｂは下方位置の駆動部１８と上方位置のハンドル部２４とを連結する部位を覆うハウジングと一体に形成された取付部位３２３Ｂの後面に形成されている。かかるバッテリ３４３Ａ，３４３Ｂの配置構成によれば、ジグソー１０の幅（左右方向の長さ）に影響を与えない。
バッテリ３４３Ａ，３４３Ｂのバッテリ取付け部３０３Ａ，３０３Ｂへの装着のための取り付け方向は、上方から下方へスライド移動させることにより行われ、取り外しは逆に下方から上方へスライド移動させることにより行われる。なお、取り外しの場合にはロック解除ボタン３４ａを押して、バッテリ３４３のロックを解除することにより行なわれる。そして、本実施形態の場合も、図から良く分るように、バッテリ取り付け部３０３Ａ，３０３Ｂは、バッテリ３４３Ａ，３４３Ｂを着脱可能で外部から目視可能な露出した状態として配置されている。
【００２７】
第３の実施形態のジグソー１０においても、バッテリ３４３Ａ，３４３Ｂを装着した状態における重心位置は、符号Ｇで各図に示されている。図９に示すように、バッテリ取り付け部３０３Ａ，３０３Ｂの位置は、上面側から見た場合における当該重心位置Ｇを通る左右方向の軸線ＣＬ２に対して対称方向位置となっている。このためバッテリ取り付け部３０３Ａ，３０３Ｂに取り付けられるバッテリ３４３Ａ，３４３Ｂも軸線ＣＬ２に対して対称位置に配置されることになり、２個のバッテリ３４３Ａ，３４３Ｂの工具本体部１４への取付け状態がバランス良くなっている。なお、軸線ＣＬ２は図８に示す重心Ｇを通ってベース１２の下面に対して平行に引かれる左右方向の線である。
【００２８】
上記第３の実施形態の場合も、上述の各実施形態の場合と同様に、図８及び図１０において、工具本体部１４の左右方向断面で見た場合における上下方向の最大幅箇所寸法がＸで示され、その上端部線がＸ１，下端部線がＸ２で示されている。また、図９に示すように左右方向の最大幅箇所寸法がＹで示され、その左端部線がＹ１，右端部線がＹ２で示されている。
そして、本実施形態においても２個のバッテリ３４３Ａ，３４３Ｂ自体のトータルの重心位置Ｇｂは図８に示すＸの範囲領域内にあると共に、図９に示すＹの範囲領域内にあるように、バッテリ取り付け部３０３Ａ，３０３Ｂの位置が配置構成されている。これにより第３の実施形態においても２個のバッテリ３４３Ａ，３４３Ｂはジグソー１０全体の配置構成としてバランスよく配置されている。
【００２９】
上記第３の実施形態においても、上述した各実施形態と同様の作用効果を得ることができるものである。
【００３０】
〔第４の実施形態〕
第４の実施形態は、図１１乃至図１３に示されている。図１１はジグソー１０の外観全体を示す側面図であり、図１２は上面図、図１３は背面図である。
これら各図に示されるように、第４の実施形態のジグソー１０のバッテリ取り付け部３０４Ａ，３０４Ｂは、工具本体部１４のハンドル部２４の後端位置から後方に向けて設けられている。図１２に良く示されるように、右側のバッテリ取り付け部３０４Ａにはバッテリ３４４Ａが装着され、左側のバッテリ取り付け部３０４Ｂにはバッテリ３４４Ｂが装着されている。右側のバッテリ取り付け部３０４Ａはハンドル部３４の後端部を覆うハウジングと一体に形成された取付部位３２４Ａの右側面に形成されている。左側のバッテリ取り付け部３０４Ｂは同様に形成された取付部位３２４Ｂの後面に形成されている。なお、右側のバッテリ取り付け部３０４Ａと左側のバッテリ取り付け部３０４Ｂは後方に向けて向かい合う幅が狭くなるように配置構成されている。このため、当該バッテリ取り付け部３０４Ａ，３０４Ｂに装着されたバッテリ３４４Ａ，３４４Ｂも後方に向けて互いに近接する配置状態として装着される。かかる配置構成によれば、既存のジグソーと比較して、全長（前後方向の長さ）と、幅（左右方向の長さ）に影響が少なく、ジグソー１０全体のコンパクト性を維持することができるため、取り回し性が良い。
バッテリ３４４Ａ，３４４Ｂのバッテリ取付け部３０４Ａ，３０４Ｂへの装着のための取り付け方向は、後方から前方へスライド移動させることにより行われ、取り外しは逆に前方から後方へスライド移動させることにより行われる。なお、取り外しの場合にはロック解除ボタン３４ａを押して、バッテリ３４４Ａ，３４４Ｂのロックを解除することにより行なわれる。そして、本実施形態の場合も、図から良く分るように、バッテリ取り付け部３０４Ａ，３０４Ｂは、バッテリ３４４Ａ，３４４Ｂを着脱可能で外部から目視可能な露出した状態として配置されている。このため、ロック解除ボタン３４ａに指が引っかけやすく、着脱しやすい。
【００３１】
第４の実施形態のジグソー１０においても、バッテリ３４４Ａ，３４４Ｂを装着した状態における重心位置は、符号Ｇで各図に示されている。図１２に示すように、バッテリ取り付け部３０４Ａ，３０４Ｂの位置は、上面側から見た場合における当該重心位置Ｇを通る前後方向の軸線ＣＬ１に対して対称方向位置となっている。このためバッテリ取り付け部３０４Ａ，３０４Ｂに取り付けられるバッテリ３４４Ａ，３４４Ｂも軸線ＣＬ１に対して対称位置に配置されることになり、２個のバッテリ３４４Ａ，３４４Ｂの工具本体部１４への取付け状態がバランス良くなっている。
【００３２】
上記第４の実施形態の場合も、上述の各実施形態の場合と同様に、図１１において、工具本体部１４の左右方向断面で見た場合における上下方向の最大幅箇所寸法がＸで示され、その上端部線がＸ１，下端部線がＸ２で示されている。また、図１２に示すように左右方向の最大幅箇所寸法がＹで示され、その左端部線がＹ１，右端部線がＹ２で示されている。
そして、本実施形態においても２個のバッテリ３４４Ａ，３４４Ｂ自体のトータルの重心位置Ｇｂは図１１に示すＸの範囲領域にあると共に、図１２に示すＹの範囲領域内にあるように、バッテリ取り付け部３０４Ａ，３０４Ｂの位置が配置構成されている。これにより第４の実施形態においても２個のバッテリ３４４Ａ，３４４Ｂはジグソー１０全体の配置構成としてバランスよく配置されている。また、本実施形態の場合も、図１１及び図１２に示すように、２つのバッテリ３４４Ａ、３４４Ｂのトータルの重心位置Ｇｂが、軸線ＣＬ１上に位置する配置構成とされているため、バランスが非常によくなっている。
【００３３】
上記第４の実施形態においても、上述した各実施形態と同様の作用効果を得ることができるものである。
【００３４】
〔第５の実施形態〕
第５の実施形態は、図１４乃至図１６に示されている。図１４はジグソー１０の外観全体を示す側面図であり、図１５は上面図、図１６は背面図である。
この第５の実施形態は、上述した図１１乃至図１３に示す第４の実施形態の変形例であり、第４の実施形態とはバッテリ取り付け部３０５Ａ，３０５Ｂ及びその取付部位３２５Ａ、３２５Ｂが異なっている。すなわち、この第５の実施形態では、右側のバッテリ取り付け部３０５Ａと左側のバッテリ取り付け部３０５Ｂは後方に向けて向かい合う幅が広くなるように配置構成されている。このため、当該バッテリ取り付け部３０５Ａ，３０５Ｂに装着されたバッテリ３４５Ａ，３４５Ｂも後方に向けて互いに広がる配置状態として装着される。その他の構成等は実質的に上述の第４の実施形態の場合と同じであるので、重複説明を省略する。
【００３５】
以上、本発明の各種の実施形態について説明したが、本発明はその他各種の実施形態が考えられるものである。
例えば、バッテリ３４の取り付け、取り外し方向は、上記各実施形態で説明した方向とは逆方向とすることもできる。
また、上述の各実施形態では、１８Ｖ仕様のバッテリ３４を２つ取り付けて、３６Ｖ出力のジグソー１０を動作させる構成を例示したが、例えば１４．４Ｖ仕様等その他の出力電圧のバッテリを複数個取り付けて合計電圧を定格電圧とする電動モータの電源とすることができる。要は、より広く普及しているバッテリを複数個取り付けてその合計電圧を定格電圧とする電動モータの電源とすることにより、使用者が予備バッテリ等として所有する複数個のバッテリを有効に活用してより高出力の切断工具１を利用することができ、これによりバッテリコストを抑制しつつ高出力の切断工具の普及を図ることができる。
【符号の説明】
【００３６】
Ｗ……切断材
１０…ジグソー
１２…ベース
１４…工具本体部
１６…電動モータ
１８…駆動部
２０…ブレード
２２…往復動変換機構部
２４…ハンドル部
２６…スイッチレバー
２８…ロッド
３０Ａ，３０Ｂ…バッテリ取り付け部
３２…取付部位
３４，３４Ａ，３４Ｂ…バッテリ
【図１】
2014148025.tif 000003
【図２】
2014148025.tif 000004
【図３】
2014148025.tif 000005
【図４】
2014148025.tif 000006
【図５】
2014148025.tif 000007
【図６】
2014148025.tif 000008
【図７】
2014148025.tif 000009
【図８】
2014148025.tif 000010
【図９】
2014148025.tif 000011
【図１０】
2014148025.tif 000012
【図１１】
2014148025.tif 000013
【図１２】
2014148025.tif 000014
【図１３】
2014148025.tif 000015
【図１４】
2014148025.tif 000016
【図１５】
2014148025.tif 000017
【図１６】
2014148025.tif 000018
【図１７】
2014148025.tif 000019
【図１８】
2014148025.tif 000020